(57)【要約】【課題】インキ収容体内へインキを吸入させるための弁部材を当接させるインキ収容体内に形成した突起が、インキ収容体内のインキの動きを妨げることのない万年筆のインキ吸入機構とする。【解決手段】インキ収容体６の内部に摺動可能に配した弁部材７を、インキ収容体６の外部に露出させた操作部材９を回転操作することにより、弁部材７を、当該弁部材７に連結し且つ外面に操作部材９の雌螺子部９ｂに噛み合う雄螺子部８ｂを設けた押棒８を介して前後動させて、インキ収容体６の内部にインキを吸入する構造の万年筆１のインキ吸入機構５であって、インキ収容体６の内面円周上に複数の突起６ａを間隔を設けて形成し、弁部材７の前進を突起６ａにて制止させる構造とする。【選択図】図２
2011156686.tif 000002
【特許請求の範囲】
【請求項１】
インキ収容体の内部に摺動可能に配した弁部材を、前記インキ収容体の外部に露出させた操作部材を回転操作することにより、前記弁部材を、当該弁部材に連結し且つ外面に前記操作部材の雌螺子部に噛み合う雄螺子部を設けた押棒を介して前後動させて、前記インキ収容体の内部にインキを吸入する構造の万年筆のインキ吸入機構であって、前記インキ収容体の内面円周上に複数の突起を間隔を設けて形成し、前記弁部材の前進を前記突起にて制止させる構造としたことを特徴とする万年筆のインキ吸入式機構。
【発明の詳細な説明】
【技術分野】
【０００１】
本発明は、インキ収容体の内部に配した弁部材を前後動させることにより、インキ収容体内にインキを吸入する構造の万年筆におけるインキ吸入機構である。
【背景技術】
【０００２】
従来より、インキ収容体にインキを吸入する手段として、操作部材を回転操作することにより、インキ収容体の内部に配設した弁部材を前後動させインキの吸入を行なう構造のインキ吸入機構はよく知られている。尚、前記弁部材は、操作部材を回転操作することによって、操作部材の内部に配した押棒の雄螺子部を操作部材の内面に形成した雌螺子部に噛み合わせて前後動させ、押棒の先端に装着した弁部材によってインキ収容体の内部にインキを吸入させる構造のものがある。
【０００３】
尚、前述した構造では、操作部材の回転により弁部材を前後動させるのだが、弁部材を前進させた際に、押棒に形成した雄螺子部と操作部材に形成した雌螺子部との螺合状態が外れてしまわないように、インキ収容体の内面に円環状の突起を設け、前記雄螺子部と雌螺子部との螺合状態が外れる前に、円環状の突起に弁部材を当接させることにより弁部材の前進を規制することで、押棒の雄螺子部と操作部材の雌螺子部との螺合状態を維持させている。この様な万年筆の構造は、例えば特開２００２−３３１７９０号公報にも開示されている。
【０００４】
前述の従来構造の万年筆について図を用いて詳述すると、従来構造の万年筆１００は、ペン先２００を上に向けた図６の状態から、ひっくり返して図７のようにペン先２００を下に向けた状態にする際に、インキ収容体３００内のインキ４００が、インキ収容体３００の内面に形成した円環状の突起５００に当たることで、図７に示すようにインキ４００がペン芯６００側へ行かずに、インキ収容体３００の後ろ側にとどまってしまう場合があった。この様に図７の状態になってしまうと、ペン芯６００にインキ４００が到達せずに、筆記の書き出しに不具合を発生させていた。また筆記時において、インキ４００の減少に伴ってペン芯６００からインキ収容体３００内に入ってくる気泡が、円環状の突起５００に接触することで、気泡がインキ収容体３００の後方へ行かずに突起５００で溜まって大きくなってしまい、インキ４００の流出を阻害してしまう場合もあった。
【先行技術文献】
【特許文献】
【０００５】
【特許文献１】特開２００２−３３１７９０号公報
【発明の概要】
【発明が解決しようとする課題】
【０００６】
本発明はこうした問題点を解消するために、インキ収容体内へインキを吸入させるための弁部材を当接させるインキ収容体内に形成した突起が、インキ収容体内のインキの動きを妨げることのない万年筆のインキ吸入機構とすることを目的とした。
【課題を解決するための手段】
【０００７】
本発明は、
「インキ収容体の内部に摺動可能に配した弁部材を、前記インキ収容体の外部に露出させた操作部材を回転操作することにより、前記弁部材を、当該弁部材に連結し且つ外面に前記操作部材の雌螺子部に噛み合う雄螺子部を設けた押棒を介して前後動させて、前記インキ収容体の内部にインキを吸入する構造の万年筆のインキ吸入機構であって、前記インキ収容体の内面円周上に複数の突起を間隔を設けて形成し、前記弁部材の前進を前記突起にて制止させる構造としたことを特徴とする万年筆のインキ吸入式機構。」である。
【発明の効果】
【０００８】
本発明の万年筆のインキ吸入機構は、インキ収容体の内面の突起を円周上に間隔を設けて形成してあることから、突起によってインキの動きが阻害されることなく、突起の隙間を通ってインキがインキ収容体の後方から前方へ滑らかに移動することができるものとなった。また筆記時において、インキの減少に伴ってペン芯からインキ収容体内に入ってくる気泡が、突起の隙間を通ってインキ収容体の後方へ行くので、インキの流出が阻害されることがなくなった。
【図面の簡単な説明】
【０００９】
【図１】本実施例のインキ吸入機構を用いた万年筆の断面図である。
【図２】胴部を外してインキ吸入機構を露出させた状態の図である。
【図３】図２のＫ−Ｋ線断面図である。
【図４】インキ収容体にインキを収容した状態の万年筆のペン先を上方に向けた状態の図である。
【図５】インキ収容体にインキを収容した状態の万年筆のペン先を下方に向けた状態の図である。
【図６】従来構造で、ペン先を上方に向けた状態の図である。
【図７】従来構造で、ペン先を下方に向けた状態の図である。
【発明を実施するための形態】
【００１０】
次に図面を参照しながら、本発明の万年筆のインキ吸入機構について説明を行うが、本発明は以下の実施例に限定されるものではない。また図中の同じ部材、同じ部品については、同じ符号としてある。
【００１１】
図１に示すように本実施例の万年筆１は、軸筒２の前方にペン芯２０を具備したペン先２１を配設してある。また、軸筒２は首部３，胴部４，尾冠４０から構成されており、尾冠４０は胴部４に圧入嵌合して一体とし、首部３と胴部４は、双方に設けた螺子部(図示せず)により着脱可能に螺子嵌合してある。尚、軸筒２の内部には、インキ吸入機構５を設けてある。
【００１２】
また、図２にて詳細が示してあるように、インキ吸入機構５は、首部３に挿着した筒状のインキ収容体６の内部を前後動可能な弁部材７を配してあり、弁部材７に形成した孔部７ａに押棒８の先端部８ａを圧入して一体としてある。また、操作部材９の外側に形成した大径部９ａの後端部を、インキ収容体６の後部に圧嵌した連結筒１０の内向きの鍔部１０ａに当接させ、操作部材９の前端部を、連結筒１０の内部に圧入および接着して固着させた回転規制部材１１へ当接させることにより、インキ収容体６に対して操作部材９が前後に動かない状態で回転可能に配設してある。また押棒８は、操作部材９の回転に伴って回転しないように、図３に示すように、回転規制部材１１に穿孔した長方形形状の貫通孔１１ａに対して、外形が長方形形状である押棒８を挿通させて回転を規制してある。
【００１３】
本実施例では、操作部材９の内面に雌螺子部９ｂを形成し、押棒８の外面に雄螺子部８ｂを形成し、操作部材９を回転操作することによって、図２に示すように弁部材７が前後動するようにしてあり、またインキ収容体６の内面円周上に複数の突起６ａを間隔を設けて形成することで、弁部材７の前進を突起６ａにて制止させる構造としてある。したがって、図２に示すように、操作部材９を回転操作することで突起６ａの位置まで前進した弁部材７を、操作部材９の回転操作により後退させることで、インキ収容体６の内部に負圧を発生させ、インキ瓶（図示せず）にペン先２１側を入れて、インキ（図示せず）をペン芯２０を経由してインキ収容体６の内部に吸入できるようにしてある。
【００１４】
次に、図４，図５を用いて本実施例のインキ吸入機構を用いた万年筆の使用状態について説明を行う。図４はインキ収容体６の内部にインキ４００が入った状態で、ペン先２１を上方に向けることでインキ４００がインキ収容体６の後方に寄った状態の図である。本実施例の万年筆１は、図４の状態から上下にひっくり返した場合、インキ収容体６の内面の突起６ａが円周上に間隔を空けて形成してあることから、インキ４００は突起６ａに阻害されることなく、突起６ａの隙間６ｂを通ってインキ収容体６の後方から前方へ移動することができ、問題なく筆記を開始することができた。また筆記時において、インキ４００の減少に伴ってペン芯２０からインキ収容体６内に入ってくる気泡（図示せず）が、突起６ａの隙間６ｂを通ってインキ収容体６の後方へ行くので、インキ４００の流出が阻害されることがなかった。
【産業上の利用可能性】
【００１５】
本発明の構造は、万年筆以外のマーキングペンや水性ボールペンなどの筆記具に採用することも可能である。
【符号の説明】
【００１６】
１…万年筆、２…軸筒、２０…ペン芯、２１…ペン先、
３…首部、４…胴部、４０…尾冠、
５…インキ吸入機構、
６…インキ収容体、６ａ…突起、７…弁部材、７ａ…孔部、
８…押棒、８ａ…先端部、８ｂ…雄螺子部、
９…操作部材、９ａ…大径部、９ｂ…雌螺子部、
１０…連結筒、１０ａ…鍔部、
１１…回転規制部材、１１ａ…貫通孔、
４００…インキ。
【図１】
2011156686.tif 000003
【図２】
2011156686.tif 000004
【図３】
2011156686.tif 000005
【図４】
2011156686.tif 000006
【図５】
2011156686.tif 000007
【図６】
2011156686.tif 000008
【図７】
2011156686.tif 000009